(57)【要約】【課題】放送番組の記録中に移動がなされた場合であっても、放送番組を確実に記録する。【解決手段】指定された放送番組を記録する記録手段（記録装置２６）と、記録手段による放送番組の記録中に、車輌の移動により新たな放送エリアに移行した場合、当該新たな放送エリアにおいて、記録中の放送番組と同一内容の放送番組が存在するか否かを判定する判定手段（処理部２５）と、判定手段によって同一内容の放送番組が存在すると判定された場合には、当該同一内容の放送番組を記録手段に、内容が連続するように継続して記録させる制御を行う判定手段（処理部２５）と、を備える。【選択図】図１
2009283999.tif 000002
【特許請求の範囲】
【請求項１】
放送局から送信される放送番組を受信して記録する車載型放送記録装置において、
指定された放送番組を記録する記録手段と、
前記記録手段による放送番組の記録中に、車輌の移動により新たな放送エリアに移行した場合、当該新たな放送エリアにおいて、記録中の放送番組と同一内容の放送番組が存在するか否かを判定する判定手段と、
前記判定手段によって同一内容の放送番組が存在すると判定された場合には、当該同一内容の放送番組を前記記録手段に、内容が連続するように継続して記録させる制御を行う制御手段と、
を備えることを特徴とする車載型放送記録装置。
【請求項２】
請求項１記載の車載型放送記録装置において、
前記判定手段は、記録中の放送番組の番組名に対応する文字列を、新たな放送エリアにおける放送番組の一覧情報としての電子番組表から検索することにより、前記同一内容の放送番組が存在するか否かを判定する、
ことを特徴とする車載型放送記録装置。
【請求項３】
請求項２記載の車載型放送記録装置において、
前記判定手段は、前記電子番組表において、前記記録中の放送番組と同一の日付の範囲であって、前記記録中の放送番組の放送開始以降の時間の範囲から、前記同一内容の放送番組を検索する、
ことを特徴とする車載型放送記録装置。
【請求項４】
請求項２記載の車載型放送記録装置において、
前記制御手段は、前記同一内容の放送番組の放送開始時刻が、前記記録中の放送番組の放送開始時刻よりも早い場合には、その旨を通知するとともに、前記記録手段による記録を中止させる、
ことを特徴とする車載型放送記録装置。
【請求項５】
請求項２記載の車載型放送記録装置において、
前記制御手段は、前記同一内容の放送番組の放送開始時刻が、前記記録中の放送番組の放送開始時刻よりも遅い場合には、これらの放送開始時刻の差分を計算し、当該差分の時間が経過した際に、前記同一内容の放送番組の記録を開始する、
ことを特徴とする車載型放送記録装置。
【請求項６】
請求項２記載の車載型放送記録装置において、
前記制御手段は、前記同一内容の放送番組が複数存在する場合には、記録中の放送番組と同一の放送開始時刻の放送番組を選択して、前記記録手段に記録させる、
ことを特徴とする車載型放送記録装置。
【請求項７】
請求項２記載の車載型放送記録装置において、
前記制御手段は、前記同一内容の放送番組が複数存在する場合には、これらの放送番組を示す情報を表示装置に一覧表示させ、ユーザによって選択された放送番組を前記記録手段に記録させる、
ことを特徴とする車載型放送記録装置。
【請求項８】
請求項２記載の車載型放送記録装置において、
前記判定手段は、前記新たな放送エリアにおける電子番組表に同一の文字列の番組名が存在しない場合には、番組名の文字列の一部を含む放送番組を示す情報を表示装置に一覧表示させ、ユーザによって選択された放送番組を前記記録手段に記録させる、
ことを特徴とする車載型放送記録装置。
【請求項９】
請求項２記載の車載型放送記録装置において、
前記判定手段は、前記新たな放送エリアにおける電子番組表および番組名から、地名および地域名を示す情報を除外し、除外された情報に基づいて検索を実行する、
ことを特徴とする車載型放送記録装置。
【発明の詳細な説明】
【技術分野】
【０００１】
本発明は、車載型放送記録装置および車載型放送記録装置の制御方法に関する。
【背景技術】
【０００２】
特許文献１には、スケジュールに登録された時間帯が、予約されたテレビ番組の放送時間帯と重なる場合、そのスケジュールに登録された行き先に移動する以前に、このテレビ番組の予約内容を、行き先の地域エリアに対応する内容に変更する移動体通信端末に関する技術が開示されている。
【特許文献１】特開２００７−２８５５６号公報
【発明の開示】
【発明が解決しようとする課題】
【０００３】
ところで、前述した技術では、スケジュールに行き先が登録されていない場合には、番組の予約内容を変更することができないという問題点がある。また、番組を録画中に移動がなされた場合には対応することができないという問題点がある。
【０００４】
本発明の課題は、放送番組の記録中に移動がなされた場合であっても、放送番組を確実に記録することが可能な車載型放送記録装置および車載型放送記録装置の制御方法を提供することにある。
【課題を解決するための手段】
【０００５】
上記課題を解決するため、本発明は、放送局から送信される放送番組を受信して記録する車載型放送記録装置において、指定された放送番組を記録する記録手段と、前記記録手段による放送番組の記録中に、車輌の移動により新たな放送エリアに移行した場合、当該新たな放送エリアにおいて、記録中の放送番組と同一内容の放送番組が存在するか否かを判定する判定手段と、前記判定手段によって同一内容の放送番組が存在すると判定された場合には、当該同一内容の放送番組を前記記録手段に、内容が連続するように継続して記録させる制御を行う制御手段と、を備えることを特徴とする。
このため、放送番組の記録中に移動がなされた場合であっても、放送番組を確実に記録することが可能になる。
【０００６】
また、他の発明は、前記判定手段は、記録中の放送番組の番組名に対応する文字列を、新たな放送エリアにおける放送番組の一覧情報としての電子番組表から検索することにより、前記同一内容の放送番組が存在するか否かを判定する、ことを特徴とする。
このため、対応する番組を迅速かつ簡単に見つけることが可能になる。
【０００７】
また、他の発明は、前記判定手段は、前記電子番組表において、前記記録中の放送番組と同一の日付の範囲であって、前記記録中の放送番組の放送開始以降の時間の範囲から、前記同一内容の放送番組を検索する、ことを特徴とする。
このため、車輌の走行中に放送番組を最後まで確実に記録することができるので、例えば、車輌が使用されない次の日に放送予定の番組が選択されることを防止できる。
【０００８】
また、他の発明は、前記制御手段は、前記同一内容の放送番組の放送開始時刻が、前記記録中の放送番組の放送開始時刻よりも早い場合には、その旨を通知するとともに、前記記録手段による記録を中止させる、ことを特徴とする。
このため、記録を継続して実行することができない場合には、その旨をユーザに通知して了知させるとともに、記録を中止することができる。
【０００９】
また、他の発明は、前記制御手段は、前記同一内容の放送番組の放送開始時刻が、前記記録中の放送番組の放送開始時刻よりも遅い場合には、これらの放送開始時刻の差分を計算し、当該差分の時間が経過した際に、前記同一内容の放送番組の記録を開始する、ことを特徴とする。
このため、新たな放送エリアにおいて、対応する番組を確実に記録することができる。
【００１０】
また、他の発明は、前記制御手段は、前記同一内容の放送番組が複数存在する場合には、記録中の放送番組と同一の放送開始時刻の放送番組を選択して、前記記録手段に記録させる、ことを特徴とする。
このため、複数の番組が存在する場合には、同一の放送開始時刻の放送番組を選択することにより、時間の管理なしに、容易に記録を継続することができる。
【００１１】
また、他の発明は、前記制御手段は、前記同一内容の放送番組が複数存在する場合には、これらの放送番組を示す情報を表示装置に一覧表示させ、ユーザによって選択された放送番組を前記記録手段に記録させる、ことを特徴とする。
このため、対応する放送番組が複数存在する場合には、これらの放送番組を示す情報を一覧表示させ、ユーザに選択させることにより、ユーザが所望する番組を確実に選択可能となるとともに、誤った番組が録画されることを防止できる。
【００１２】
また、他の発明は、前記判定手段は、前記新たな放送エリアにおける電子番組表に同一の文字列の番組名が存在しない場合には、番組名の文字列の一部を含む放送番組を示す情報を表示装置に一覧表示させ、ユーザによって選択された放送番組を前記記録手段に記録させる、ことを特徴とする。
このため、同一の文字列を番組名が電子番組表に存在しない場合には、番組名の文字列の一部を含む放送番組が検索されるので、番組名が多少異なる場合であっても対応する放送番組を確実に特定することができる。
【００１３】
また、他の発明は、前記判定手段は、前記新たな放送エリアにおける電子番組表および番組名から、地名および地域名を示す情報を除外し、除外された情報に基づいて検索を実行する、ことを特徴とする。
このため、番組名および番組表に、放送される地域を示すための地名等が含まれているような場合であっても、対応する放送番組を確実に特定することができる。
【発明の効果】
【００１４】
本発明によれば、放送番組の記録中に移動がなされた場合であっても、放送番組を確実に記録することができる。
【発明を実施するための最良の形態】
【００１５】
（Ａ）実施の形態の構成
以下、図面を参照して本発明の実施の形態を説明する。
図１は本発明の実施の形態の車載型放送記録装置２０の構成例を示す図である。この図に示すように車載型放送記録装置２０は、表示部２１、音声出力部２２、操作部２３、地上デジタルチューナ２４、処理部２５、および、記録装置２６を有しており、外部にはアンテナ１０が接続されている。車載型放送記録装置２０は、例えば、自動車のコンソールパネルに設置され、図示せぬ放送局から送信される地上デジタル放送の放送信号を受信し、放送信号に含まれている放送番組（以下、単に「番組」と称する）を構成する映像信号を表示部２１に表示するとともに、音声信号を音声出力部２２から放音する。また、番組を構成する映像信号および音声信号を記録装置２６に記録させる。
【００１６】
アンテナ１０は、図示せぬ放送局から送信される放送番組を捕捉して、地上デジタルチューナ２４に供給する。なお、受信感度を高めるために、アンテナ１０を複数設けるようにしてもよい。また、裏番組が録画できるように、地上デジタルチューナ２４を複数設けるようにしてもよい。
【００１７】
表示部２１は、例えば、ＬＣＤ（Liquid Crystal Display）等によって構成され、処理部２５から出力される情報を画像として表示する。音声出力部２２は、例えば、Ｄ／Ａ（Digital to Analog）コンバータ、増幅回路、および、スピーカ等によって構成され、処理部２５から出力された音声データを対応する音声信号に変換し、スピーカから音として放音する。
【００１８】
操作部２３は、例えば、表示部２１に重畳するように配置されたタッチパネルによって構成され、表示部２１を参照して操作がなされた場合には、操作内容に対応する情報を生成して出力する。地上デジタルチューナ２４は、図示せぬ放送局から送信され、アンテナ１０によって捕捉された地上デジタル放送の放送信号から、所望のチャンネルの信号を抽出して復号し、得られた映像信号および音声信号をＡＶ（Audio Visual）信号として、処理部２５に対して出力する。処理部２５は、例えば、ＣＰＵ（Central Processing Unit）、ＲＯＭ（Read Only Memory）、および、ＲＡＭ（Random Access Memory）等によって構成され、記録装置２６およびＲＯＭに格納されているプログラムに基づいて装置の各部を制御する。
【００１９】
記録装置２６は、例えば、ＨＤＤ（Hard Disk Drive）、フラッシュメモリ、または、ＤＶＤ（Digital Versatile Disk）記録再生装置によって構成され、処理部２５から供給されるＡＶ信号を処理部２５の指示に応じて記録する。記録装置２６に記録された番組は、記録後に操作部２３の操作によって見ることができる。また、記録装置２６が何度でも書き込みできる場合、記録した番組を消去して、新しい番組の録画に使用できる。
【００２０】
（Ｂ）実施の形態の動作
つぎに、本発明の実施の形態の動作について説明する。
【００２１】
図２は、本発明の実施の形態の動作を説明するためのフローチャートである。このフローチャートの処理は、例えば、車載型放送記録装置２０の電源が投入された場合に、一定の間隔で実行される。このフローチャートの処理が実行されると、以下の処理が開始される。すなわち、処理部２５は、記録装置２６に記録されている録画予約情報を参照し、予約番組が存在するか否かを判定し、予約番組が存在する場合（ステップＳ１０；Ｙｅｓ）には、ステップＳ１１に進み、それ以外の場合（ステップＳ１０；Ｎｏ）には、処理を終了する。ここで、録画予約情報とは、所定の番組を記録装置２６に記録（録画）することを予約するための情報である。このような情報は、ユーザが、操作部２３を操作することにより入力され、記録装置２６の所定の領域に記録される。具体的には、例えば、図３に示すＡ県において１９時から放送開始される番組「ドキュメンタリー」が録画予約されているとした場合に車輌がＡ県を走行中であるとする。その場合、録画予約情報が存在するので、ステップＳ１０ではＹｅｓと判定されステップＳ１１に進む。
【００２２】
ステップＳ１１では、処理部２５は、録画予約がなされている番組に関する情報としての番組情報を、例えば、図示せぬＲＡＭに記憶させる。より詳細には、例えば、処理部２５は、録画予約がなされている番組の番組名、放送局名、チャンネル番号、放送開始時刻、および、放送終了時刻等に関する情報を、記録装置２６から取得して番組情報としてＲＡＭに記憶させる。
【００２３】
ステップＳ１２では、処理部２５は、図示せぬタイマから供給される日時情報を参照し、予約録画開始時刻になったか否かを判定し、予約開始時刻になったと判定した場合（ステップＳ１２；Ｙｅｓ）には、ステップＳ１３に進み、それ以外の場合（ステップＳ１２；Ｎｏ）には予約開始時刻になるまで同様の処理を繰り返す。より詳細には、処理部２５は、タイマから供給される現在の日時情報と、ステップＳ１１で記憶された番組情報の放送開始時刻とを比較し、これらが等しい場合には、予約録画開始時刻であるとして、ステップＳ１２に進む。
【００２４】
ステップＳ１３では、番組を録画する処理を実行する。すなわち、処理部２５は、ステップ１１において記憶された番組情報に基づいて地上デジタルチューナ２４の受信チャンネルを設定するとともに、記録装置２６に対して、番組の録画を開始するように指示する。その結果、地上デジタルチューナ２４は、録画予約された番組を受信して復号することにより、ＡＶ信号を生成し、処理部２５に供給する。処理部２５は、地上デジタルチューナ２４から供給されたＡＶ信号を、記録装置２６に供給する。記録装置２６は、処理部２５から供給されたＡＶ信号を所定の記録領域に記録する。図３の例では、Ａ県を走行中の車輌に搭載された車載型放送記録装置２０は、時刻「１９時」から、放送局「Ａ局」が、受信チャンネル「０１１ｃｈ」で放送する、番組名「ドキュメンタリー」の放送番組を録画することになる。なお、番組録画処理の詳細については、後述する図４を参照して説明する。
【００２５】
ステップＳ１４では、処理部２５は、図示せぬタイマから供給される時刻情報と、ステップＳ１１において記憶されている番組情報とを参照し、予約録画終了時刻であるか否かを判定し、予約録画終了時刻であると判定した場合（ステップＳ１４；Ｙｅｓ）にはステップＳ１５に進み、それ以外の場合（ステップＳ１４；Ｎｏ）にはステップＳ１３に戻って前述の場合と同様の処理を繰り返す。例えば、図３の例では、２０時になった場合にはステップＳ１５に進み、それ以外の場合にはステップＳ１３に戻って録画処理を継続する。例えば、図３の例では、１９時から２０時までＡ県内を移動した場合には、Ａ局が０１１ｃｈで放送する番組を連続して録画する。また、１９時から２０時までの間に、Ａ県からＢ県に移動した場合には、後述する処理によって、Ｅ局が０３１ｃｈで放送する番組が継続して録画される。
【００２６】
ステップＳ１５では、処理部２５は、録画処理を終了する。すなわち、処理部２５は、記録装置２６に対してＡＶ信号の記録を終了するように指示する。その結果、記録装置２６はＡＶ信号の記録を終了する。これにより、録画予約された番組に対する録画処理が終了する。
【００２７】
以上の処理によれば、所定の番組の録画予約がなされている場合に、当該番組の放送開始時刻になった場合には、録画が開始されるとともに、放送終了時刻になった場合には、録画が終了される。なお、前述の例では、録画予約がなされた番組を録画する場合を例に挙げて説明したが、ユーザが操作部２３を操作して所定の番組の録画を開始するようにしてもよい。
【００２８】
つぎに、図４を参照して、図２に示す「番組録画処理」の詳細について説明する。このフローチャートの処理が開始されると、以下の処理が実行される。すなわち、ステップＳ３０では、処理部２５は、地上デジタルチューナ２４によって受信される電子番組表（ＥＰＧ；Electric Program Guide）（以下、単に「番組表」と称する）を参照し、それまで受信していた番組表と比較することにより、受信エリアが変化したか否かを判定し、変化したと判定した場合（ステップＳ３０；Ｙｅｓ）にはステップＳ３１に進み、それ以外の場合（ステップＳ３０；Ｎｏ）には、ステップＳ３６に進む。ここで、放送エリアとは、所定の放送局または所定の中継局によって形成される放送電波の受信可能エリアをいい、所定の放送局または所定の中継局に対して１つのエリアが形成されるものとする。また、電子番組表とは、各放送局から送信され、放送予定の番組の情報がチャンネル毎に、時間順に配列されて構成される情報である。
【００２９】
より詳細には、例えば、図３に示すように、Ａ県とＢ県の県境に、放送エリアの境界が存在する場合に、車輌がＡ県からＢ県に県境を横切って移動したときには、番組表が変化するので、ステップＳ３０ではＹｅｓと判定され、ステップＳ３１に進む。
【００３０】
ステップＳ３１では、処理部２５は、録画中の番組の番組名を示す文字列が、新たに受信した番組表に存在するか否かを検索する。図３の例では、右側に示す番組表から、現在録画中の番組の番組名である文字列「ドキュメンタリー」を検索する。なお、検索を行う際には、録画中の番組が放送される日と同一の日付の範囲から検索する。日付が変わった場合には、その日に車輌が使用されるか否かが不明であるためである。例えば、観光目的で日曜日に車輌を使用する場合、つぎの日である月曜日に車輌が使用される（車載型放送記録装置２０に電源が投入される）とは限らないためである。また、検索を行う際に、番組名を示す文字列の全てではなく、文字列の一部に基づいて検索を行うようにしてもよい。すなわち、完全一致のみならず、例えば、前方一致、後方一致、または、部分一致によって対象を検索するようにしてもよい。そのようにすることで、放送局毎に、番組名の付け方のルールが若干異なる場合であっても、対象となる番組を確実に見つけることが可能となる。
【００３１】
ステップＳ３２では、処理部２５は、新たな番組表中に、現在録画中の番組の番組名に対応する文字列が存在するか否かを判定し、存在する場合（ステップＳ３２；Ｙｅｓ）にはステップＳ３４に進み、それ以外の場合にはステップＳ３３に進む。例えば、図３の例では、現在録画中の番組の番組名である文字列「ドキュメンタリー」に対応する文字列が、図中右側に示す新たな番組表中に存在することから、ステップＳ３２ではＹｅｓと判定されてステップＳ３４に進む。
【００３２】
ステップＳ３２において、対応する番組が存在しないと判定された場合には、ステップＳ３３に進み、処理部２５は録画処理を中止する。すなわち、処理部２５は、記録装置２６に対して、録画処理を終了するように指示し、記録装置２６がその指示に応じて、録画を終了する。なお、その際に、表示部２１に対してメッセージ「移動後の放送エリアには該当する番組が存在しないため、録画を終了します。」を表示して、ユーザに録画を継続できないことを示すことができる。
【００３３】
ステップＳ３４では、処理部２５は、受信チャンネルが変わったか否かを判定し、受信チャンネルが変わった場合（ステップＳ３４；Ｙｅｓ）にはステップＳ３５に進み、それ以外の場合（ステップＳ３４；Ｎｏ）にはステップＳ３６に進む。より詳細には、処理部２５は、ステップＳ１１で記憶された番組情報と、ステップＳ３１の処理によって特定された番組の受信チャンネルとを比較し、これらが異なるか否かを判定する。図３の例では、録画中の番組である「ドキュメンタリー」の受信チャンネルは、「０１１ｃｈ」から「０３１ｃｈ」に変化しているので、ステップＳ３４では、Ｙｅｓと判定されて、ステップＳ３５に進む。
【００３４】
ステップＳ３５では、受信チャンネルの切換処理が実行される。すなわち、処理部２５は、地上デジタルチューナ２４の受信チャンネルを、ステップＳ３１において特定された受信チャンネルに変更する。図３の例では、受信チャンネルが「０１１ｃｈ」から「０３１ｃｈ」に切り換えられる。なお、切換処理は、例えば、ＣＭ（Commercial Message）を検出し、ＣＭの放送中に、切換処理を実行することにより、切り換えによって発生するノイズが、番組に含まれることを防止することができる。
【００３５】
ステップＳ３６では、処理部２５は、ステップＳ３５において切り換えられた受信チャンネルの放送を録画する。その結果、図３に示すように、放送番組「ドキュメンタリー」を録画中に放送エリアの境界であるＡ県からＢ県に移動した場合であっても、当該番組を継続して録画し続けることができる。なお、ステップＳ３６の処理では、ステップＳ１１の処理の場合と同様に、番組情報を記録装置２６に記録する。これにより、放送エリアが再度変化した場合であっても、図２のステップＳ１３の処理を確実に実行することができる。
【００３６】
以上の処理によれば、放送番組を録画中に、車輌の移動により放送エリアが変化した場合には、新たな放送エリアの番組表から、記録中の番組と同一の番組名を有する番組が検索され、同一の番組が存在する場合には、当該番組が継続して録画される。このため、放送エリアが変化した場合であっても、番組を継続して録画することができる。
【００３７】
つぎに、図５を参照して、図４に示す、ステップＳ３１の番組表検索処理の詳細について説明する。図５に示す処理が開始されると、以下のステップが実行される。すなわち、ステップＳ５０では、処理部２５は、番組名を示す文字列から地名および地域名を除外する。より詳細には、処理部２５は、番組名が「○○○茨城」である場合には、放送局または放送地域を示す付属情報としての「茨城」が文字列から除外される。ステップＳ５１では、処理部２５は、同様にして、番組表から地名および地域名を除外する。なお、地名とは特定の地点に付与された呼称をいい、また、地域名とは特定の地域に付与された呼称をいう。
【００３８】
ステップＳ５２では、処理部２５は、番組表から番組名を検索する。より詳細には、処理部２５は、地名および地域名が除外された番組名に対応する番組を、同じく地名および地域名が除外された番組表から検索する。
【００３９】
ステップＳ５３では、処理部２５は、ステップＳ５２の検索処理の結果、対応する番組（以下、「対応番組」と称する）が複数存在するか否かを判定し、複数の対応番組が存在する場合（ステップＳ５３；Ｙｅｓ）には、ステップＳ５４に進み、それ以外の場合（ステップＳ５３；Ｎｏ）には、ステップＳ５５に進む。
【００４０】
ステップＳ５４では、処理部２５は、複数の対応番組の中から、代替して録画する番組である代替番組を選択する。より詳細には、処理部２５は、例えば、放送開始時刻が同じである番組を代替番組として選択する。なお、複数の対応番組を表示部２１に一覧表示させ、一覧表示された番組の中からユーザが所望する番組を代替番組として選択させるようにしてもよい。
【００４１】
ステップＳ５５では、処理部２５は、記録中の番組（以下、「元番組」と称する）の放送開始時刻Ｔ１を取得する。具体的には、図６のように、移動前のＡ地域では録画対象の番組Ｘの放送開始時刻が１０：００である場合には、Ｔ１として「１０：００」が取得される。
【００４２】
ステップＳ５６では、処理部２５は、ステップＳ５４で選択された代替番組またはステップＳ５２において検索された代替番組の放送開始時刻Ｔ２を取得する。具体的には、図６のように、移動後のＢ地域では録画対象の番組Ｘの放送開始時刻が１０：３０である場合には、Ｔ２として「１０：３０」が取得される。
【００４３】
ステップＳ５７では、処理部２５は、Ｔ１＞Ｔ２であるか否か、すなわち、元番組の放送開始時刻Ｔ１が、代替番組の放送開始時刻Ｔ２よりも遅いか否かを判定し、遅い場合（ステップＳ５７；Ｙｅｓ）にはステップＳ５８に進み、それ以外の場合（Ｔ１≦Ｔ２の場合）（ステップＳ５７；Ｎｏ）にはステップＳ５９に進む。具体的には、図６の場合には、Ｔ１≦Ｔ２を満たすので、ステップＳ５９に進む。
【００４４】
ステップＳ５８では、処理部２５は、元番組の放送開始時刻Ｔ１が、代替番組の放送開始時刻Ｔ２よりも遅いため、代替番組による録画が継続できないとして、例えば、表示部２１に「新たなエリアにおける対応する番組の放送開始時刻が前のエリアにおける放送開始時刻よりも遅いため録画を継続することができません。」を表示し、処理を終了する。これにより、ユーザは、放送開始時刻に起因して録画を継続できないことを知ることができる。
【００４５】
ステップＳ５９では、処理部２５は、時間（Ｔ２−Ｔ１）後に、録画を再開させる。より具体的には、処理部２５は、地上デジタルチューナ２４の受信周波数を、代替番組の周波数に変更するとともに、時間（Ｔ２−Ｔ１）後に、録画を再開させる。このとき、記録装置２６は、先に記録されている情報（元番組の記録情報）に続けて、代替番組を記録する。これにより、元番組と代替番組が連続して１つのファイルとして記録されることから、番組の切換によらず、１つの連続した番組として扱われる。図６の場合では、Ａ地域においては、１０：２０まで録画がされている（番組が２０分間録画されている）ので、時間３０分（＝１０：３０−１０：００）後である１０：５０から録画を再開し、記録装置２６に既に記録されている情報に続けて記録する。そして、処理を終了する。なお、Ｔ２＝Ｔ１である場合には、直ちに録画が開始され、既に記録されている情報に続けて番組が記録される。
【００４６】
以上に説明したように、本実施の形態によれば、車輌の移動により新たな放送エリアに移行した場合、新たな放送エリアにおいて同一内容の番組が存在するか否かを判定し、存在する場合には、当該番組を内容が連続するように継続して録画するようにしたので、車輌の移動によらず、継続して番組を録画することが可能になる。その際、記録される番組は、受信チャンネルの切換の発生にも拘わらず、１つの連続したファイルとして記録されることから、切換の発生を意識することなく、記録された番組を視聴することができる。なお、「内容が連続するように継続して録画」するとは、チャンネルの切り換えの際に、切換動作に伴って、一部の内容が欠落する場合も含むものとする。また、放送エリアの境界においては、切換前後の一方または双方の電波が弱くなることに起因して、内容が欠落する場合が生じるが、そのような場合も含むものとする。すなわち、「連続」とは、完全な連続ではなく、一部情報の欠落した状態も含むものである。さらに、「同一内容の番組」とは、完全に同一の内容だけでなく、一部の情報が異なる番組についても含むものとする。例えば、それぞれの放送エリア毎に異なる情報を付加されたり、情報が差し替えられたり、情報が削除された場合も、「同一内容」に含むものとする。
【００４７】
また、本発明の実施の形態によれば、記録中の番組に対応する番組を、新たな放送エリアの番組表から検索するようにしたので、対応する番組を迅速に見つけることが可能になる。
【００４８】
また、本発明の実施の形態によれば、記録中の番組に対応する番組を、番組表から検索する際には、同一の日付の範囲で検索するようにした。このため、別の日に放送される場合には、その日に車輌が使用されているか否かが不明であることから、録画を確実に継続することが可能になる。
【００４９】
また、本発明の実施の形態によれば、対応する番組の放送開始時刻が、もとの番組の放送開始時刻よりも早い場合には、その旨のメッセージを表示するとともに、録画を中止するようにしたので、録画が継続できない場合には、ユーザにその旨を確実に知らせることが可能になる。
【００５０】
また、本発明の実施の形態によれば、対応する番組の放送開始時刻が、もとの番組の放送開始時刻よりも遅い場合には、これらの番組の放送開始時刻の差分の時間を計算し、当該差分の時間が経過した後に、録画を再開するようにしたので、番組の内容を重複させることなく、確実に記録することが可能になる。
【００５１】
また、本発明の実施の形態によれば、対応する番組が複数存在する場合には、記録中の番組と同一の放送開始時刻を有する番組を選択して記録するようにしたので、時間を空けずに記録を行うことにより、目的地に到着したにも拘わらず、録画が終了していないといった事態の発生を防止できる。
【００５２】
また、本発明の実施の形態によれば、対応する番組が複数存在する場合には、これらの番組を示す情報を一覧表示させて、ユーザに選択させるようにしたので、ユーザの要望に合致した番組を選択することができるとともに、誤った番組を録画してしまうといった事態を回避することができる。
【００５３】
また、本発明の実施形態によれば、記録中の番組の番組名と同一の文字列を有する番組が電子番組表に存在しない場合には、番組名の文字列の一部を有する番組を検索して一覧表示するようにしたので、対応する番組を確実に特定することができる。
【００５４】
また、本発明の実施の形態によれば、番組表および番組名から、地名および地域名を除外し、これらが除外された番組表から、これらが除外された番組名を検索するようにしたので、例えば、放送地域を示す目的で、番組名に地名または地域名が付されているような場合であっても、目的の番組を確実に検索することが可能になる。
【００５５】
（Ｃ）変形実施の態様
なお、上述した実施の形態は、あくまでも本発明の一態様を示すものであり、本発明の範囲内で任意に変形および応用が可能であることは勿論である。
以上の実施の形態では、放送エリアの変化を、電子番組表の変化から検出するようにしたが、これ以外にも、例えば、ＧＰＳ（Global Positioning System）から得られる位置情報（緯度、経度情報）と、放送エリアを示す地図情報に基づいて検出することもできる。より具体的には、放送エリアを示す地図情報を記憶した記憶装置を設けるとともに、ＧＰＳ測位装置を設ける。そして、ＧＰＳ測位装置から得られる緯度および経度に基づいて、車輌の現在属している放送エリアを、記憶装置に記憶されている地図情報から特定し、変化を検出することができる。
【００５６】
また、図２に示すフローチャートでは、録画予約された番組を録画する場合を例に挙げて説明したが、例えば、ユーザが手動操作によって、番組を録画する場合であっても、本発明を適用可能であることはいうまでもない。
【００５７】
また、図６に示す例では、１０：２０にＡ地域からＢ地域に移動した場合には、１０：５０に録画を再開するようにしたが、１０：３０に録画を最初から実行するようにしてもよい。すなわち、新たな放送エリアにおける番組の放送開始時刻が、記録中の番組の放送開始時刻よりも遅い場合であって、新たな放送エリアにおける番組の放送が開始されていない場合には、当該番組を冒頭から録画するようにしてもよい。このような実施の形態によれば、番組の途中で受信チャンネルを切り換えることにより発生するノイズ等の発生を防止することができる。
【図面の簡単な説明】
【００５８】
【図１】本発明の実施の形態の構成例を示すブロック図である。
【図２】図１に示す実施の形態において実行される処理の一例を示すフローチャートである。
【図３】車輌が移動した場合の番組表の変化を示す図である。
【図４】図２に示す番組録画処理の詳細を示す図である。
【図５】図４に示す番組表検索処理の詳細を示す図である。
【図６】地域ごとの番組開始時刻の関係を示す図である。
【符号の説明】
【００５９】
１０  アンテナ
２０  車載型放送記録装置
２１  表示部
２２  音声出力部
２３  操作部
２４  地上デジタルチューナ
２５  処理部
２６  記録装置
【図１】
2009283999.tif 000003
【図２】
2009283999.tif 000004
【図３】
2009283999.tif 000005
【図４】
2009283999.tif 000006
【図５】
2009283999.tif 000007
【図６】
2009283999.tif 000008